(57)【要約】【課題】軽量な屋根瓦（樹脂系瓦）として使用される樹脂系屋根材において、火災に遭遇した際の難燃性や、長期間の使用に際しての耐久性が優れた樹脂系屋根材を提供する。【解決手段】不燃性繊維強化合成樹脂層１の表面に、難燃性合成樹脂層２を積層形成してなる。【選択図】図１
2006177077.tif 000002
【特許請求の範囲】
【請求項１】
不燃性繊維強化合成樹脂層の表面に、難燃性合成樹脂層を積層形成してなることを特徴とする樹脂系屋根材。
【請求項２】
請求項１において、
不燃性繊維強化合成樹脂層と難燃性合成樹脂層とを交互に複数層形成してなることを特徴とする樹脂系屋根材。
【請求項３】
請求項１又は２の何れかにおいて、
不燃性繊維強化合成樹脂層を構成する合成樹脂層が、難燃性合成樹脂層よりなることを特徴とする樹脂系屋根材。
【請求項４】
請求項１〜３の何れかにおいて、
難燃性合成樹脂層が、不燃性充填材を添加した合成樹脂よりなることを特徴とする樹脂系屋根材。
【請求項５】
請求項１〜３の何れかにおいて、
難燃性合成樹脂層が、難燃剤を添加した合成樹脂よりなることを特徴とする樹脂系屋根材。
【請求項６】
請求項１〜３の何れかにおいて、
難燃性合成樹脂層が、樹脂自体が難燃性を有する合成樹脂よりなることを特徴とする樹脂系屋根材。
【発明の詳細な説明】
【技術分野】
【０００１】
本願発明は、軽量な屋根瓦として使用される樹脂系屋根材に関するものである。
【背景技術】
【０００２】
従来、古くから粘度瓦、セメント瓦等の窯業系瓦が屋根材として汎用されていた。
【０００３】
しかしながら、かかる窯業系瓦は、重量がきわめて大きいため、屋根葺き時の作業性が悪く、かつ、建物にも大きな負荷がかかり、建物の耐久性にも悪影響を与えるという問題があった。
【０００４】
そこで、かかる窯業系瓦の問題点を解消するため、不飽和ポリエステル樹脂等の熱硬化性樹脂に補強用繊維材料等を添加して成形してなる樹脂系瓦が知られている（例えば、特許文献１及び２参照。）。
【特許文献１】特許第３４５４３５８号公報
【特許文献２】特開２００２−２７６０８２号公報
【発明の開示】
【発明が解決しようとする課題】
【０００５】
上記従来の樹脂系瓦においては、窯業系瓦の問題点である重量が大きいとい点を解消した軽量な瓦として優れている。
【０００６】
しかしながら、かかる樹脂系瓦においても、火災に遭遇した際の難燃性や、長期間の使用に際しての耐久性の点で満足すべきものであるとは言い難いという問題があった。
【０００７】
本願発明は、かかる樹脂系瓦の問題点を解消するために為されたものであり、軽量な屋根瓦（樹脂系瓦）として使用される樹脂系屋根材において、火災に遭遇した際の難燃性や、長期間の使用に際しての耐久性が優れた樹脂系屋根材を提供することを課題とする。
【課題を解決するための手段】
【０００８】
本願発明は、上記課題を解決するために、請求項１においては、不燃性繊維強化合成樹脂層の表面に、難燃性合成樹脂層を積層形成してなることを特徴としている。
【０００９】
本願発明は、請求項２においては、請求項１において、不燃性繊維強化合成樹脂層と難燃性合成樹脂層とを交互に複数層形成してなることを特徴としている。
【００１０】
本願発明は、請求項３においては、請求項１又は２の何れかにおいて、不燃性繊維強化合成樹脂層を構成する合成樹脂層が、難燃性合成樹脂層よりなることを特徴としている。
【００１１】
本願発明は、請求項４においては、請求項１〜３の何れかにおいて、難燃性合成樹脂層が、不燃性充填材を添加した合成樹脂よりなることを特徴としている。
【００１２】
本願発明は、請求項５においては、請求項１〜３の何れかにおいて、難燃性合成樹脂層が、難燃剤を添加した合成樹脂よりなることを特徴としている。
【００１３】
本願発明は、請求項６においては、請求項１〜３の何れかにおいて、難燃性合成樹脂層が、樹脂自体が難燃性を有する合成樹脂よりなることを特徴としている。
【発明の効果】
【００１４】
更に又、層構成が不燃性繊維強化合成樹脂層と難燃性合成樹脂層とよりなる複数の積層樹脂構造体であるため、単層樹脂構造体よりなる樹脂系瓦に比して強度、剛性等が大きく、長期間の使用に際しての耐久性が優れている。
【００１５】
本願発明の請求項２に係る樹脂系屋根材においては、不燃性繊維強化合成樹脂層と難燃性合成樹脂層の積層樹脂構造体が更に複数層積層形成されているため、上記火災に遭遇した際の難燃性や、長期間の使用に際しての耐久性が更に向上する。
【００１６】
本願発明の請求項３に係る樹脂系屋根材においては、不燃性繊維強化合成樹脂層を構成する合成樹脂層が、難燃性合成樹脂層によりなるため、不燃性繊維強化合成樹脂層及び難燃性合成樹脂層を構成する材料がすべて不燃性・難燃性材料よりなり、上記火災に遭遇した際の難燃性が更に向上する。
【００１７】
本願発明の請求項４及び５に係る樹脂系屋根材においては、難燃性合成樹脂層が、不燃性充填材又は難燃剤を添加した合成樹脂よりなるため、通常汎用されている合成樹脂を使用して難燃性を付与することができる。
【００１８】
本願発明の請求項６に係る樹脂系屋根材においては、難燃性合成樹脂層が、樹脂自体が難燃性を有する合成樹脂よりなるため、難燃性を付与する材料を添加することなく難燃性を付与することができる。
【発明を実施するための最良の形態】
【００１９】
以下、本願発明に係る樹脂系屋根材を図面とともに説明する。
【実施例１】
【００２０】
図１は、本願発明の樹脂系屋根材の一実施形態を例示した縦断面図である。
【００２１】
図１に例示したように、本願発明の樹脂系屋根材Ａは、不燃性繊維強化合成樹脂層１の表面に、難燃性合成樹脂層２を積層形成し、更に、必要に応じて、不燃性繊維強化合成樹脂層１の裏面にも難燃性合成樹脂層２を積層形成してなるものである。
【００２２】
図２は、本願発明の樹脂系屋根材の異なった実施形態を例示した縦断面図である。
【００２３】
又、図２に例示したように、本願発明の樹脂系屋根材Ｂは、上記図１に例示した樹脂系屋根材Ａにおいて、不燃性繊維強化合成樹脂層１と難燃性合成樹脂層２とを交互に複数層（図２においては、２層）積層形成し、更に、必要に応じて、最下層の不燃性繊維強化合成樹脂層１の裏面にも難燃性合成樹脂層２を積層形成してなるものである。
【００２４】
図１に例示した樹脂系屋根材Ａ及び図２に例示した樹脂系屋根材Ｂにおいては、不燃性繊維強化合成樹脂層１を構成する不燃性繊維の不燃性に基因する難燃化作用と、難燃性合成樹脂層２の不燃性に基因する難燃化作用との相乗作用によって、延焼を阻止すると共に、万一、表面の難燃性合成樹脂層２を貫通して延焼して来た場合には、次の不燃性繊維強化合成樹脂層１を構成する不燃性繊維の不燃性に基因する難燃化作用によって延焼を阻止することができるため、火災に遭遇した際の難燃性が優れている。
【００２５】
更に又、層構成が不燃性繊維強化合成樹脂層１と難燃性合成樹脂層２とよりなる複数の積層樹脂構造体であるため、単層樹脂構造体よりなる樹脂系瓦に比して強度、剛性等が大きく、長期間の使用に際しての耐久性が優れている。
【００２６】
更に加うるに、図１及び図２に例示したように、最下層の不燃性繊維強化合成樹脂層１の裏面にも難燃性合成樹脂層２を積層形成した場合には、難燃化作用を有する難燃性合成樹脂層２の層数が増加するため、上記火災に遭遇した際の難燃性が更に向上し、又、長期間の使用に際しての耐久性も更に向上し、かつ、層構成が上下対称の層構造になるため、長期間の使用に際して、反りも発生しない樹脂系屋根材が得られる。
【００２７】
又、図２に例示したように、不燃性繊維強化合成樹脂層１と難燃性合成樹脂層２とを交互に積層形成して夫々複数層づつ積層形成した場合には、難燃化作用及び強度、剛性等を発揮する不燃性繊維強化合成樹脂層１と難燃性合成樹脂層２との層数が増加するため、上記火災に遭遇した際の難燃性や、長期間の使用に際しての耐久性が更に向上する。
【００２８】
又、不燃性繊維強化合成樹脂層１を構成する合成樹脂層が、難燃性合成樹脂層２よりなる場合には、不燃性繊維強化合成樹脂層１及び難燃性合成樹脂層２を構成する不燃性繊維及び合成樹脂等の材料が、すべて不燃性・難燃性材料よりなるため、上記火災に遭遇した際の難燃性が更に向上する。
【００２９】
又、図１に例示した樹脂系屋根材Ａ及び図２に例示した樹脂系屋根材Ｂにおいて、不燃性繊維強化合成樹脂層１を形成する材料としては、例えば、不飽和ポリエステル樹脂、エポキシ樹脂、フェノール樹脂等の熱硬化性樹脂や、ポリエチレン樹脂、ポリプロピレン樹脂、ポリアミド樹脂等の熱可塑性樹脂等の合成樹脂（特に、屋根材としての強度、剛性等の点で、熱硬化性樹脂が好ましい。）に、ガラス繊維、カーボン繊維等の不燃性繊維からなるチョップストランドマット、繊維布等を含有させて半硬化させたシート状のプリプレグよりなるＳＭＣ（Ｓｈｅｅｔ  Ｍｏｌｄｉｎｇ  Ｃｏｍｐｏｕｎｄ）や、上記と同様の合成樹脂に不燃性繊維からなるチョップストランドを含有させたバルク状のプリミックスよりなるＢＭＣ（Ｂｕｌｋ  Ｍｏｌｄｉｎｇ  Ｃｏｍｐｏｕｎｄ）又はペレット状のプリミックスよりなるＰＭＣ（Ｐｅｌｌｅｔｉｚｅｄ  ｔｙｐｅ  Ｍｏｌｄｉｎｇ  Ｃｏｍｐｏｕｎｄ）等のＦＲＰ（Ｆｉｂｅｒ  Ｒｅｉｎｆｏｒｃｅｄ  Ｐｌａｓｔｉｃｓ）材料を使用するのが好ましい。ただし、上記材料に限定するものではない。
【００３０】
又、難燃性合成樹脂層２を形成する材料としては、例えば、水酸化アルミニウム、三酸化アンチモン、ほう酸亜鉛、ほう酸バリウム、炭酸カルシウム、けい酸カルシウム、タルク、マイカ、クレー、シリカ、アルミナ、けい砂、ガラス繊維基材等の不燃性充填材を添加した不飽和ポリエステル樹脂、エポキシ樹脂、フェノール樹脂等の熱硬化性樹脂、及びポリエチレン樹脂、ポリプロピレン樹脂、ポリアミド樹脂等の熱可塑性樹脂等の合成樹脂（特に、屋根材としての強度、剛性等の点で熱硬化性樹脂が好ましい。）や、塩素化パラフィン、塩素化ポリエチレン、テトラブロムエタン、テトラブロムビスフェノールＡ等のハロゲン化合物、及びトリクレジルホスフェート、クレジルジフェニールホスフェート、トリフェニールホスフェート、トリオクチルホスフェート等のりん酸エステル、及びトリス（クロロエチル）ホスフェート、ビス（２,３−ジブロモプロピル）−２,３ジクロロプロピルホスフェート、トリス（２,３−ジブロモプロピル）−ホスフェート等の含ハロゲンりん酸エステル等の難燃剤を添加した上記と同様の熱硬化性樹脂、熱可塑性樹脂等の合成樹脂（特に、屋根材としての強度、剛性等の点で熱硬化性樹脂が好ましい。）や、芳香族ポリスルホン、全芳香族ポリイミド等の耐熱性ポリマーよりなる樹脂自体が難燃性を有する合成樹脂を使用するのが好ましい。ただし、上記材料に限定するものではない。
【００３１】
図１に例示した樹脂系屋根材Ａ及び図２に例示した樹脂系屋根材Ｂにおいて、難燃性合成樹脂層２を形成する材料として、上記のような不燃性充填材又は難燃剤を添加した合成樹脂を使用した場合には、通常汎用されている上記のような合成樹脂を使用して難燃性を付与することができ、又、上記のように樹脂自体が難燃性を有する合成樹脂を使用した場合には、難燃性を付与する上記のような不燃性充填材、難燃剤等の材料を添加することなく難燃性を付与することができる。
【００３２】
又、不燃性繊維強化合成樹脂層１と難燃性合成樹脂層２を積層形成して、図１に例示した樹脂系屋根材Ａ及び樹脂系屋根材Ｂを製造する場合には、例えば、前述したような不燃性繊維強化合成樹脂層１を形成するＦＲＰ材料と、難燃性合成樹脂層２を形成する不燃性充填材又は難燃剤を添加した合成樹脂や、樹脂自体が難燃性を有する合成樹脂とを、載置、塗布等により積層し、加熱加圧等により成形一体化して樹脂系屋根材Ａ、Ｂを製造すれば良い。ただし、上記製造法に限定するものではない。
【００３３】
又、樹脂系屋根材Ａ、Ｂの形状は、波板、折板、平板等、所望の形状を採用すれば良く、又、厚みは、３〜６ｍｍ等、所望する強度、剛性に応じて任意に選択、決定すれば良い。
【図面の簡単な説明】
【００３４】
【図１】本願発明の樹脂系屋根材の一実施形態を例示した縦断面図である。
【図２】本願発明の樹脂系屋根材の異なった実施形態を例示した縦断面図である。
【符号の説明】
【００３５】
Ａ、Ｂ  樹脂系屋根材
１      不燃性繊維強化合成樹脂層
２      難燃性合成樹脂層
【図１】
2006177077.tif 000003
【図２】
2006177077.tif 000004